(57)【要約】【課題】小型軽量かつ広い視野角を有する画像表示装置及び頭部装着型表示装置を実現する。【解決手段】 光源と、少なくとも１枚の表示素子と、表示素子の表示画像を拡大する拡大光学手段と、を有する画像表示装置において、表示素子として時分割混色表示素子を用い、表示素子の表示画像は光学系の収差を補正するための画像処理が行われている。【選択図】　　　図９
2004139132.tif 000002
【特許請求の範囲】
【請求項１】
光源と、少なくとも１枚の表示素子と、前記表示素子の表示画像を拡大する拡大光学手段と、を有する画像表示装置において、
　前記表示素子として時分割混色表示素子を用い、前記表示素子の表示画像は光学系の収差を補正するための画像処理が行われていることを特徴とする画像表示装置。
【請求項２】
請求項１記載の画像表示装置において、
　前記光源は、時分割３原色発光装置であることを特徴とする画像表示装置。
【請求項３】
請求項１記載の画像表示装置において、
　前記光学系の収差は、少なくとも歪曲収差と倍率色収差の一方であることを特徴とする画像表示装置。
【請求項４】
請求項１〜３にいずれかに記載の画像表示装置において、
　前記表示素子は、液晶表示素子であることを特徴とする画像表示装置。
【請求項５】
光源と、少なくとも１枚の表示素子と、前記表示素子の拡大虚像を形成する拡大光学手段と、前記表示素子および前記拡大光学手段を観察者の頭部に保持する保持手段を有する頭部装着型表示装置において、
　前記表示素子として時分割混色表示素子を用いることを特徴とする頭部装着型表示装置。
【請求項６】
請求項５記載の頭部装着型表示装置において、
　前記表示素子の表示画像は、光学系の収差を補正するための画像処理が行われていることを特徴とする頭部装着型表示装置。
【請求項７】
請求項５または請求項６記載の頭部装着型表示装置において、
　前記光源は、時分割３原色発光装置であることを特徴とする頭部装着型表示装置。
【発明の詳細な説明】
【技術分野】
【０００１】
　本発明は、画像表示装置及び頭部装着型表示装置に関する。
【背景技術】
【０００２】
　現在、表示画面の臨場感を高める要請に応えるために、頭部装着型液晶表示装置が提案されている。これらの代表的な例として、特開昭５９−１１７８７６などが挙げられる。
【０００３】
　これらの例によれば、図１１に示すごとく保持手段１１０１によって装着者の眼前に保持された拡大光学手段１１０２を通して液晶表示素子１１０３を観察する。液晶表示素子１１０３は拡大光学手段１１０２の焦点位置より拡大光学手段１１０２側に配置されているので装着者は液晶表示素子１１０３の拡大虚像１１０４を観察する。
【０００４】
　この構成によれば、拡大光学手段を通して大きな拡大虚像を観察でき、さらには拡大虚像以外の外景像などが見えないため拡大虚像に対する没入感が高まり、それらの相乗効果により表示画像の臨場感がうまれる。
【０００５】
　ところで、人間が、大きな臨場感を得るためには、表示される画像が鑑賞者に対して張る視野角は８０゜程度以上必要であるといわれている。
【０００６】
　したがって、この例に示した頭部装着型液晶表示装置では、高い臨場感を得るためには左右各々の眼の前に配置された液晶表示素子と拡大光学要素で８０゜程度の視野角を持つ拡大虚像を形成しなければならない。
【０００７】
　このような広い視野角を得るためには、拡大光学手段として拡大レンズを用いる場合、通常、収差補正のために４群以上の構成からなるレンズを用いなければならない。このような複雑な構成のレンズを用いると、装置全体のサイズ、重量の増大は避けられず、長時間鑑賞に耐えられるものではなくなり、頭部装着型液晶表示装置の使用価値が減ずる。
【０００８】
　このような課題に答得る拡大光学手段が、以下の非特許文献１に開示されている。
【０００９】
　この文献に開示してある拡大光学レンズは３枚の単レンズからなるという簡素な構成で９０°という広い視野角を実現している。このような簡素な構成が実現されたのは拡大レンズで歪曲収差と倍率色収差を補正していないためであり、それらは液晶表示素子に表示する画像にそれらの収差をキャンセルするような画像処理を施すことにより補正している。
【００１０】
　この画像処理の概略を図を用いて説明する。
【００１１】
　まず、図１２（ａ）を用いて歪曲収差の補正について説明する。１２０１は歪曲収差を補正していない光学系をレンズ形状で概念的に示したものであり、この光学系１２０１では正の歪曲収差が生じているので長方形１２０２を光学系１２０１を通して見ると、１２０３のごとく糸巻き型の図形がみられる。
【００１２】
　そこで、光学系１２０１が有する正の歪曲を相殺し得る負の歪曲を持った樽型図形１２０４を液晶表示素子に表示すれば長方形１２０５を見ることができ、鑑賞者に歪曲収差は感じられない。
【００１３】
　次に、図１２（ｂ）を用いて倍率色収差の補正について説明する。１２０６は倍率色収差を補正していない光学系をレンズ形状で概念的に示したものであり、この光学系１２０６を通して白色の長方形１２０７を見ると１２０８のごとくＲ−Ｇ−Ｂの順に大きく拡大される色の滲んだ長方形が見える。１２０８において、点線は青色、実線は緑色、一点鎖線は赤の像を示す。そこで、緑に対して青が縮小、赤が拡大された長方形１２０９を液晶表示素子に表示すれば白色の長方形１２１０を見ることができ、鑑賞者に倍率色収差は感じられない。
【００１４】
【非特許文献１】・ＳＰＩＥ　Ｖｏｌ．１２５６　Ｓｔｅｒｅｏｓｃｏｐｉｃ　Ｄｉｓ−ｐｌａｙｓ　ａｎｄ　Ａｐｐｌｉｃａｔｉｏｎｓ　Ｐ　２１０「Ｗｉｄｅ　ａｎｇｌｅ　ｏｒｔｈｏｓｔｅｒｅｏ」著者：Ｅｒｉｃ　Ｍ．Ｈｏｗｌｅｔｔ
【発明の開示】
【発明が解決しようとする課題】
【００１５】
　この頭部装着型液晶表示装置には以下に述べる課題がある。
【００１６】
　第１の課題としては、使用している液晶表示素子のサイズが対角２．５インチ以上あるため装置全体のサイズが大型化してしまうということである。これを解決するにはよりサイズの小さな液晶表示素子を使用する必要があるが、先述の文献に開示されている拡大レンズでは拡大率が低く、広い視野は得られない。
【００１７】
　第２の課題としては前記画像処理による画質の劣化が大きいことがあげられる。
【００１８】
　これを図１３を用いて説明する。
【００１９】
　いま、液晶表示素子のカラーフィルターの色配列が図１３に示すようなモザイク配列であるとする。また、液晶表示素子の中心点が１３０１にあるとする。なお図１３においては説明を分かりやすくするために、カラーフィルターの色配列は液晶表示素子の表示面の一部にしか図示していない。
【００２０】
　ここで、Ｇ画像について光学系の有する歪曲収差と倍率色収差を補正する画像処理をかけることにする。
【００２１】
　光学系の収差は軸回転対称性を持っているので当画像処理において表示画素の位置変換を行う方向は、液晶表示素子の中心１３０１から放射状に延びる線分に沿ったものとなる。その線分の代表的なものを１３０２、１３０３に示す。また、画素１３０４、１３０５は動径１３０６上にあり、すなわち液晶表示素子の中心１３０１から当距離にあるものとする。
【００２２】
　いま、光学系の歪曲収差、倍率色収差を補正するために本来画素１３０４、　１３０５に表示される画像データを２．０画素分、中心側に表示位置変換する必要があるとする。
【００２３】
　本来画素１３０４に表示されるべきデータを２画素分中心側に表示位置変換するとこのデータはＢ画素である１３０７に表示されることになり、これは色情報が異なることから許されない。従って、本来画素１３０４に表示されるべきデータは１３０４にそのまま表示するか、より大きな表示位置変換になる１３０８に表示するしかなく、前者については−２画素、後者については＋１画素の表示位置誤差を生じることになる。
【００２４】
　一方、線分１３０２から角度１３１１離れた線分１３０３上の画素１３０５においては表示位置誤差量が異なってくる。
【００２５】
　角度１３１１が１７゜であるとすると、本来画素１３０５に表示すべきデータを２画素分中心側に表示位置変換すると、このデータはＲ画素である１３０９に表示されることになり、これも許されない。この場合は画素１３０５にそのまま表示するか、画素１３１０に表示位置変換するしかないが、前者については−２画素、後者については＋２画素の表示位置誤差を生じることになる。
【００２６】
　このような表示位置誤差は、鑑賞者には画質の劣化として認識されることになる。ここでは、Ｇ画素について説明を行ったがＲ、Ｂ画素についても同様のことがいえる、また倍率色収差補正の画像処理を考えたときも全く同様の問題が生じる。
【００２７】
　すなわち従来の技術では、光学系の収差を補正するための適切な画像処理が行うことができないため、表示画像の画質の大きな劣化をもたらすことになるのである。
【００２８】
　本発明は上記課題を解決するために為されたものであり、その目的とするところは、小型軽量ながら広い視野角と高い画質を有する画像表示装置及び頭部装着型液晶表示装置を提供することにある。
【課題を解決するための手段】
【００２９】
　本発明の拡大レンズは上記した問題を解決するためになされたものであり、合成樹脂からなり、物体側から順に、物体側に凹面を向けた正のメニスカスレンズの第１レンズ、物体側に平面を向けた平凸レンズの第２レンズ、物体側に凸面を向けた平凸レンズの第３レンズから構成され、次の各条件を満足することを特徴とする。
【００３０】
　（１）　０．５＜φ3／φ＜０．５８ （２）　−０．６５φ＜φ1f−１．２４φ1＜−０．４２φただしφは全系の屈折力、φ1は第１レンズの屈折力、φ3は第３レンズの屈折力、φ1fは第１レンズの物体側の面の屈折力である。
【００３１】
　拡大レンズが合成樹脂レンズから構成されているので軽量である。一般に、合成樹脂レンズの成形を注型重合によって行う場合、レンズの中心厚とコバ厚の差が大きいと成形精度が悪くなる。本発明においては、３枚のレンズ形状がそれぞれメニスカスと平凸なので、レンズの中心厚とコバ厚の差を小さく抑えることができるので成形精度の高いレンズを作成でき、良好な光学性能を得ることができる。
【００３２】
　また、メニスカスレンズと平凸レンズを、物体側から順に、物体側に凹面を向けた正のメニスカスレンズの第１レンズ、物体側に平面を向けた平凸レンズの第２レンズ、物体側に凸面を向けた平凸レンズの第３レンズに配置し、条件式（１）、（２）を満たすようにすることにより、良好な性能を有する拡大レンズを実現することができる。さらには小型の液晶表示素子、望ましくは対角２インチ以下のサイズの液晶表示素子を８０゜程度の視野角に拡大するよう拡大率をあげても、を式（１）、（２）の条件を満足することにより、良好な光学性能を得ることができる。
【００３３】
　条件式（１）は第３レンズの屈折力を規定する条件である。条件式（１）の下限を越えた場合、第３レンズからの歪曲収差の発生が大きくなりすぎ、残りの２枚のレンズでこれを補正しようとすると、非点収差が大きくなる。またその上限を越えると第３レンズの屈折力が過大になり、周辺光束が通りにくくなり、視野角を広げることが困難になる。
【００３４】
　なお、歪曲収差は液晶表示素子の表示画像に画像処理をかけることにより補正するのであるが、これが大きくなりすぎると画像処理をした画像の歪みが大きくなることにより、表示に使用できる画素数が減じ、画質の低下をもたらす。従って、拡大レンズの歪曲は余り大きくないことが好ましい。
【００３５】
　条件式（２）は第１レンズの形状を規定する条件である。この上限を越えると歪曲収差を補正しきれず、下限を越えると像面湾曲を補正しきれない。
【００３６】
　また、本発明の拡大レンズは、好ましくは下記一般式１または２で表されるメルカプト化合物の１種以上と、ポリイソシアネートの１種以上を反応させて得られる含硫ウレタン系樹脂レンズであることを特徴とする。
【００３７】
【化１】
2004139132.tif 000003
【００３８】
【化２】
2004139132.tif 000004
【００３９】
　上記含硫ウレタン系樹脂レンズは屈折率が１．６以上と高く、したがって、拡大レンズの像面湾曲を小さく抑えることが可能になり、良好な光学性能を得ることができる。
【００４０】
　また、本発明の画像表示装置は上記した問題を解決するためになされたものであり、光源と、少なくとも１枚の表示素子と、前記表示素子の表示画像を拡大する拡大光学手段と、を有する画像表示装置において、前記表示素子として時分割混色表示素子を用い、前記表示素子の表示画像は光学系の収差を補正するための画像処理が行われていることを特徴とする。
【００４１】
　時分割混色表示素子を用いるので、表示画像に画像処理を施す際にＲＧＢ各色で液晶表示素子の有する画素を全て利用できるために、表示位置補正の誤差が少なくなり鮮明な映像を得ることが可能になる。
【００４２】
　本発明の光源は、時分割３原色発光装置であることを特徴とする。また、本発明の光学系の収差は、少なくとも歪曲収差と倍率色収差の一方であることを特徴とする。また、本発明の表示素子は、液晶表示素子であることを特徴とする。
【００４３】
　本発明の頭部装着型表示装置は、光源と、少なくとも１枚の表示素子と、前記表示素子の拡大虚像を形成する拡大光学手段と、前記表示素子および前記拡大光学手段を観察者の頭部に保持する保持手段を有する頭部装着型表示装置において、前記表示素子として時分割混色表示素子を用いることを特徴とする。
【００４４】
　時分割混色表示素子を用いるので、小型軽量ながら高い画質の頭部装着型表示装置を実現することが可能となる。
【００４５】
　前記表示素子の表示画像は、光学系の収差を補正するための画像処理が行われていることを特徴とする。
【００４６】
　本発明の、時分割混色表示素子の表示画像は、光学系の収差を補正するための画像処理が行われているので、表示画像に画像処理を施す際にＲＧＢ各色で液晶表示素子の有する画素を全て利用できるために、表示位置補正の誤差が少なくなり鮮明な映像を得ることが可能になる。
【００４７】
　本発明の光源は、時分割３原色発光装置であることを特徴とする。
【００４８】
　また、前述の拡大レンズを拡大光学手段として用いることにより、対角２インチ以下のサイズの小型液晶表示素子を用いても画質が良好な画像を広い視野角で表示することができる。したがって、液晶表示素子は小型軽量なものを使用でき、また拡大レンズも小型軽量であるのでそれらを保持する保持手段も小型軽量となり、ひいては装置全体が小型軽量となるのである。
【発明の効果】
【００４９】
　以上述べたように、本発明によれば、時分割混色表示素子を用いることにより、表示画像に前記拡大レンズの有する収差を補正するための画像処理を施しても、鮮明な画像を得ることができる。
【発明を実施するための最良の形態】
【００５０】
　図１は本発明の拡大レンズの断面図であり、物体面から順に物体側に凹面を向けた正のメニスカスレンズ（以下第１のレンズと称す）、物体側に平面を向けた平凸レンズ（以下第２のレンズと称す）、物体側に凸面を向けた平凸レンズが配置されている。本形態において、次の各条件が満足されるように設定されている。
【００５１】
　（１）　０．５＜φ3／φ＜０．５８ （２）　−０．６５φ＜φ1f−１．２４φ1＜−０．４２φここでφは全系の屈折力、φ1は第１レンズの屈折力、φ3は第３レンズの屈折力、φ1fは第１レンズの物体側の面の屈折力である。後述する実施例１、２、３、及び４、及び図１〜４において更に詳しい値を示す。
【００５２】
　本形態においては、第１のレンズ、第２のレンズ及び第３のレンズは、
【００５３】
【化１】
2004139132.tif 000005
【００５４】
【化２】
2004139132.tif 000006
【００５５】
　で示されるメルカプト化合物の１種以上と、ポリイソシアネートの１種以上を反応させることにより得られる含硫ウレタン系樹脂レンズを用いた。該含硫ウレタン系樹脂レンズははポリイソシアネート化合物と一般式が化１で表される４−メルカプトメチル−３，６−ジチオ−１，８−オクタンジチオールまたは一般式が化２で表されるペンタエリスリトールテトラ（３−メルカプトロピオネート）のチオール化合物の混合液を所望形状を有するガラス型とガスケットからなるモールド中に注入し、加熱重合することにより得た。ポリイソシアネート化合物としてはトリレンジイソシアネート、ジフェニルメタンジイソシアネート、ポリメリック型ジフェニルメタンジイソシアネート、トリジンジイソシアネート、ナフタレンジイソシアネートなどがあげられるがこれに限定されるものではなく、単独あるいは、必要に応じて２種類以上の混合物として用いてもよい。また、ポリイソシアネート化合物とチオール化合物の使用割合は、ＮＣＯ／ＳＨ（官能基）モル比が通常０．５〜３．０、好ましくは０．５〜１．５の範囲内にある。また、内部離型剤、鎖延長剤、架橋剤、光安定剤、紫外線吸収剤、酸化防止剤、反応触媒等を原料中に適宜添加することもできる。
【００５６】
　図９は本実施形態の頭部装着型表示装置の片眼の光学配置を示している。図中、９０１は鑑賞者の目、９０２は拡大レンズ、９０３は白黒表示の液晶表示素子、９０４は時分割３原色発光装置である。
【００５７】
　時分割３原色発光装置９０４は３原色Ｒ（赤）、Ｇ（緑）、Ｂ（青）の光をそれぞれ独立して発光させる光源である。この光源を単色で表示させ、画面の上から下へ順次色を操作させる。この操作と同期して液晶表示素子９０３もその色に対応した画像を順次書き込んでいく。例えば、ＮＴＳＣのビデオ信号は６０Ｈｚで１フィールドのカラー信号が送られてくるので３倍の１８０ＨｚでＲ、Ｇ、Ｂの画面を書き込めばちょうど１フィールドのカラー画像を表示したのと同じに見える。
【００５８】
　拡大レンズ９０２は実施例１〜４において説明したレンズを用いるが、本発明の条件式（１）、（２）の範囲にあればこれに限定されるものではない。これらのレンズは歪曲収差、倍率色収差を有するが、液晶表示素子９０３の表示画像に、Ｒ、Ｇ、Ｂ各色に応じた画像処理を施すことにより補正する。
【００５９】
　この画像処理については従来の技術の項で図１２を用いて説明した原理を用いる。すなわち、拡大レンズで発生する糸巻き型の歪曲を補正するために、液晶表示素子９０３にそれを打ち消す樽型に歪んだ画像を表示する。また、拡大レンズで発生するＲ−Ｇ−Ｂの順に拡大率が大きくなる倍率色収差を補正するために、液晶表示素子９０３はそれを打ち消す逆の倍率を有する画像を表示する。
【００６０】
　ところで、従来のカラーフィルターを使用したカラー液晶表示素子を用いた頭部装着型液晶表示装置では、カラー液晶表示素子の画素数をＮとすればＲＧＢ各色で表示に使用できる表示画素数は、ほぼＮ／３である。一方、本発明の頭部装着型表示装置においては、白黒表示の液晶表示素子と、時分割３原色発光装置によるカラー表示を行うために、ＲＧＢ各色で表示に使用できる表示画素数は、白黒表示の液晶表示素子のそれをＮとすればほぼＮに等しい。これにより、表示画像に画像処理を施しても大きな画質の劣化が生じない。これを図を用いて従来の技術と比較しながら説明する。
【００６１】
　液晶表示素子にＧ画像が表示されている瞬間の液晶表示素子９０３の画素の色の様子を図１０にしめす。本発明においては、白黒液晶表示素子を使用するので、画素の色は時分割３原色発光装置９０４によって背後から照明されることにより生ずる。従って、Ｇ画像が表示されている瞬間はすべての画素がＧ色を表示できる。今ここで、Ｇ画像について光学系の有する歪曲収差と倍率色収差を補正する画像処理をかけることにする。
【００６２】
　この場合も発明が解決しようとする課題の項で第２の課題を説明するために図１３を用いて説明した画像処理と全く同様の画像処理をかける。
【００６３】
　すなわち、光学系の歪曲収差、倍率色収差を補正するために本来画素１００４、１００５に表示される画像データを２．０画素分、線分１００２、１００３に沿って中心側に表示位置変換する。
【００６４】
　本来画素１００４に表示されるべきデータは２画素分中心側に存在する画素１００７に表示位置変換すればよく、表示位置誤差はない。従来の技術では１画素分以上の表示位置誤差が生じていた。
【００６５】
　一方、本来画素１００５に表示すべきデータを２画素分中心側に表示位置変換すると、このデータは画素１００８に表示されることになる。この場合は画素１００８の中心が線分１００３上にないために若干の表示位置誤差が生ずるが、従来の技術の場合２画素以上の誤差が生じていたことに比べるとその量は小さい。
【００６６】
　ここでは、Ｇ画素について説明を行ったがＲ、Ｂ画素についても同様のことがいえ、また倍率色収差補正のための画像処理をかける場合にも同様なことがいえる。
【００６７】
　すなわち、本発明の頭部装着型表示装置においてＲＧＢ各色の実質上の画素数は従来に比べて３倍であり、それによって画像処理を行う際の表示位置誤差が少ないため、鮮明な画像が得られるのである。
【００６８】
　尚、本形態における拡大レンズは第１の形態で用いたものと同様のものを用いている。
【００６９】
　以下に本実施形態における拡大レンズの実施例を示す。
【００７０】
　実施例１〜４の拡大レンズの断面図を図１〜図４に、非点収差および歪曲収差を図５〜図８に示す。なお、図５〜図８の非点収差図においてｍはメリジオナル像面をｓはサジッタル像面を示す。各実施例のレンズデータにおいて、ｆは焦点距離、ωは半画角、φ、φ1f、φ1、φ3はそれぞれ全系の屈折力、第１レンズの物体側の面の屈折力、第１レンズの屈折力、第３レンズの屈折力、ｒｍは各レンズ面の曲率半径（ｍは物体側からの順序を表す面番号）、ｄｍはレンズ面間隔（ｍは物体側からの順序を表す面番号）、ｎｍは各レンズの屈折率（ｍは物体側からのレンズの順序を表す）を示す。なお、レンズとしては全て、第１の形態で説明した含硫ウレタン系樹脂レンズを用いている。
【００７１】
　（実施例１）
ｆ＝２６．５
ω＝４０゜
φ3／φ＝０．５２１７
φ1f−１．２４φ1＝−０．４８６４
ｒ１＝−１２２．８２
ｄ１＝７．０　ｎ１＝１．６６７
ｒ２＝−４２．９９
ｄ２＝７．０８
ｒ３＝∽
ｄ３＝７．０　ｎ２＝１．６６７
ｒ４＝−６１．４５８
ｄ４＝０．９０　
ｒ５＝３３．８９
ｄ５＝９．０　ｎ３＝１．６６７
ｒ６＝∽
アイポイントは第６面から２４
　（実施例２）
ｆ＝２６．５
ω＝３６゜
φ3／φ＝０．５４９７
φ1f−１．２４φ1＝−０．６４７９
ｒ１＝−５７．９２
ｄ１＝７．０　ｎ１＝１．６６７
ｒ２＝−３１．８６
ｄ２＝１０．１３
ｒ３＝∽
ｄ３＝６．０　ｎ２＝１．６６７
ｒ４＝−６７．９９
ｄ４＝０．９０　
ｒ５＝３２．１８
ｄ５＝９．０　ｎ３＝１．６６７
ｒ６＝∽
アイポイントは第６面から２４
　（実施例３）
ｆ＝２６．５
ω＝３６゜
φ3／φ＝０．５３０４
φ1f−１．２４φ1＝−０．４８５０
ｒ１＝−４４６．８９
ｄ１＝８．０　ｎ１＝１．６６７
ｒ２＝−４４．６９
ｄ２＝３．２０
ｒ３＝∽
ｄ３＝５．０　ｎ２＝１．６６７
ｒ４＝−８９．７４ 
ｄ４＝２．８４　
ｒ５＝３３．３５
ｄ５＝９．０　ｎ３＝１．６６７
ｒ６＝∽
アイポイントは第６面から２４
　（実施例４）
ｆ＝２６．５
ω＝３４゜
φ3／φ＝０．５７１５ 
φ1f−１．２４φ1＝−０．５８６７
ｒ１＝−５３．２３ 
ｄ１＝７．０　ｎ１＝１．６６７
ｒ２＝−３４．６０
ｄ２＝６．５７
ｒ３＝∽
ｄ３＝８．０　ｎ２＝１．６６７
ｒ４＝−６９．０６ 
ｄ４＝０．４０
ｒ５＝３０．９５
ｄ５＝８．２　ｎ３＝１．６６７
ｒ６＝∽
アイポイントは第６面から２４
【図面の簡単な説明】
【００７２】
【図１】本発明の第１の実施例の拡大レンズの断面図。
【図２】本発明の第２の実施例の拡大レンズの断面図。
【図３】本発明の第３の実施例の拡大レンズの断面図。
【図４】本発明の第４の実施例の拡大レンズの断面図。
【図５】本発明の第１の実施例の非点収差および歪曲収差図。
【図６】本発明の第２の実施例の非点収差および歪曲収差図。
【図７】本発明の第３の実施例の非点収差および歪曲収差図。
【図８】本発明の第４の実施例の非点収差および歪曲収差図。
【図９】本発明の実施形態の頭部装着型表示装置の片眼の光学系の光学配置図。
【図１０】本発明の実施形態における液晶表示素子の画素の色配置の説明図。
【図１１】従来の頭部装着型液晶表示装置の説明図。
【図１２】従来の頭部装着型液晶表示装置の画像処理の説明図。
【図１３】従来の頭部装着型液晶表示装置における液晶表示素子の画素の色配置の説明図。
【符号の説明】
【００７３】
９０１　　鑑賞者の目
９０２　　拡大レンズ
９０３　　白黒表示の液晶表示素子
９０４　　時分割３原色発光装置
１００１　液晶表示素子の中心
１００２　中心から放射状に延びる線分
１００３　中心から放射状に延びる線分
１００４　画素
１００５　画素
１００６　動径
１００７　画素
１００８　画素
１００９　線分１００２と１００３の成す角
１１０１　保持手段
１１０２　拡大光学手段
１１０３　液晶表示素子
１１０４　拡大虚像
１２０１　歪曲収差を補正していない光学系
１２０２　長方形
１２０３　糸巻き型の図形
１２０４　樽型図形
１２０５　長方形
１２０６　倍率色収差を補正していない光学系
１２０７　白色の長方形
１２０８　Ｒ−Ｇ−Ｂの順に大きく拡大された色の滲んだ長方形
１２０９　緑に対して青が縮小、赤が拡大された長方形
１２１０　白色の長方形
１３０１　液晶表示素子の中心
１３０２　中心から放射状に延びる線分
１３０３　中心から放射状に延びる線分
１３０４　画素
１３０５　画素
１３０６　動径
１３０７　画素
１３０８　画素
１３０９　画素
１３１０　画素
１３１１　線分１３０２と１３０３の成す角
【図１】
2004139132.tif 000007
【図２】
2004139132.tif 000008
【図３】
2004139132.tif 000009
【図４】
2004139132.tif 000010
【図５】
2004139132.tif 000011
【図６】
2004139132.tif 000012
【図７】
2004139132.tif 000013
【図８】
2004139132.tif 000014
【図９】
2004139132.tif 000015
【図１０】
2004139132.tif 000016
【図１１】
2004139132.tif 000017
【図１２】
2004139132.tif 000018
【図１３】
2004139132.tif 000019